(57)【特許請求の範囲】
【請求項１】
スポーツシューズ用のソールであって、
ａ．複数の外形要素と、
ｂ．前記ソールのフォアフット部の外側から前記フォアフット部の内側へ延びる摩擦要素であって、前記フォアフット部は、前記ソールを前方側からフォアフット部、中足部、およびヒール部の３つの部分に分けた場合において、最も前方に位置する部分である、前記摩擦要素と
ｃ．前記摩擦要素を受けるための凹部と
を含み、
前記摩擦要素がスポーツボールに接触してソールの下側と前記スポーツボールとの間の摩擦を大きくするように前記外形要素が分散され、
前記外形要素が前記摩擦要素の周りに配置される、前記ソール。
【請求項２】
前記複数の外形要素が地面に貫入するように構成される、請求項１に記載のソール。
【請求項３】
前記複数の外形要素が、前記ソールの前記ヒール部および／または前記フォアフット部に設けられる、請求項１または２に記載のソール。
【請求項４】
前記摩擦要素が前記ソールに恒久的に取り付けられる、請求項１〜３のいずれか一項に記載のソール。
【請求項５】
前記摩擦要素が、前記外形要素の材料と比べて、スポーツボールとの摩擦がより大きい材料を含む、請求項１〜４のいずれか一項に記載のソール。
【請求項６】
前記摩擦要素が、布地層の上に設けられたゴムの外層を含む、請求項１〜５のいずれか一項に記載のソール。
【請求項７】
前記複数の外形要素が、少なくとも１つの第１の外形要素と、複数の細長の第２の外形要素とを含み、前記細長の第２の外形要素が、前記第１の外形要素の周りに分散され、前記第１の外形要素から半径方向に伸びる、請求項１〜６のいずれか一項に記載のソール。
【請求項８】
前記少なくとも１つの第１の外形要素が、基本的に半径方向に対称である、請求項７に記載のソール。
【請求項９】
前記少なくとも１つの第１の外形要素が、前記ソールの前記フォアフット部および／または前記ヒール部に配置される、請求項７または８に記載のソール。
【請求項１０】
前記細長の第２の外形要素が、前記少なくとも１つの第１の外形要素よりも高さが低い、請求項７〜９のいずれか一項に記載のソール。
【請求項１１】
前記細長の第２の外形要素が、前記少なくとも１つの第１の外形要素の直径よりも大きい長手方向伸長部を有する、請求項７〜１０のいずれか一項に記載のソール。
【請求項１２】
前記複数の外形要素が、少なくとも１つの第１の外形要素と、複数の第２の外形要素とを含み、前記複数の第２の外形要素が格子状に配置される、請求項１〜１１のいずれか一項に記載のソール。
【請求項１３】
前記スポーツシューズがサッカーシューズである、請求項１〜１２のいずれか一項に記載のソール。
【請求項１４】
請求項１〜１２のいずれか一項に記載のソールを含むスポーツシューズ。
【請求項１５】
前記摩擦要素が前記シューズのアッパーに少なくとも部分的にわたって延びる、請求項１４に記載のスポーツシューズ。
【請求項１６】
前記スポーツシューズがサッカーシューズである、請求項１４または１５に記載のスポーツシューズ。
【発明の詳細な説明】
【技術分野】
【０００１】
本発明は、シューズ用ソール、特にスポーツシューズ用ソール、およびそのようなソールを有するシューズに関する。
【背景技術】
【０００２】
スポーツシューズなどのシューズは、一般に、アッパーとソールとを含む。
【０００３】
シューズのソールの通常の機能は、踏むおそれのある鋭利な物体から足を保護すること、クッション性をもたらすこと、および滑りを防止できるように地面での安定性をもたらすことであり得る。上記の機能を果たすことを目的とした、シューズソールの多くの設計が知られている。例えば、シューズと地面との間に安定した接触をもたらすために、ソールは、地面に貫入するように構成され得る外形要素、例えばスタッドまたはナップを含むことができる。ソールの外形要素の異なる設計が、例えばＥＰ０３４００５３Ｂ１またはＤＥ３１２７７９３Ｃ１から公知である。
【０００４】
次に、シューズのアッパーの基本的な機能は、シューズ内およびソール上に足を固定することであり得る。シューズの特定の適用に応じて、様々なさらなる機能をアッパーによりもたらすことができる。例えば、アッパーは、良好な通気もしくは断熱をもたらすことができ、または水がシューズに入らないようにすることができる。特にサッカーシューズの場合、サッカーボールを制御するようにアッパーを最適化することができる。
【０００５】
例えば、ＥＰ１４８４９９１Ｂ１は、連続した弾性伸張可能なスリーブのみを含む、編上げ履物用カバーを開示しており、スリーブ上部の外側がボールの制御を助ける粗面ゾーンを含む。さらに、ＧＢ２４１２２８７は、サッカーブーツのスイートスポットに巻き付くバンドを開示しており、このバンドは、サッカーボールとサッカーブーツとの間の摩擦を大きくするコーティングを有して、より高い精度でボールに当てることができるようにする。ＷＯ２００９／１４９０５５Ａ１は、ソールシステムのアーチ部に屈曲部を有する、サッカー用履物を開示している。ソールシステムは、着用者がボールを止めて捕える能力を強化するトラップ部を含む。
【０００６】
しかしながら、サッカーなどの最近の球技では、スピードやプレーヤの技術についての要件がさらに高まっている。したがって、より速いスピードおよびより良好なボール制御を可能にする、改良されたシューズを提供する必要がある。
【先行技術文献】
【特許文献】
【０００７】
【特許文献１】ＥＰ０３４００５３Ｂ１
【特許文献２】ＤＥ３１２７７９３Ｃ１
【特許文献３】ＥＰ１４８４９９１Ｂ１
【特許文献４】ＧＢ２４１２２８７
【特許文献５】ＷＯ２００９／１４９０５５Ａ１
【発明の概要】
【課題を解決するための手段】
【０００８】
上記の必要は、請求項１に記載のスポーツシューズ用ソールによって少なくとも部分的に満たされる。
【０００９】
一例では、スポーツシューズ、特にサッカーシューズ用ソールは、複数の外形要素と、摩擦要素とを含む。外形要素は、摩擦要素がスポーツボールに接触してソールの下側とスポーツボールとの間の摩擦を大きくするように分散される。
【００１０】
したがって、アッパー上だけでなく、シューズのソールの下側でボールに接触したときにも、優れたボール制御を可能にするシューズを提供することができる。同時に、外形要素を用いることで、地面での十分な安定性をソールによりもたらすことができる。したがって、本発明のソールは、改善されたボール制御をもたらして、プレーヤがシューズのすべての面でボールを効果的に制御できるようにする。アッパーによるボール制御と、ソールの外形要素による地面での安定性とを別々に最適化する代わりに、両方の機能をソール自体によってもたらすことができる。
【００１１】
上記態様により、例えばサッカープレーヤにとって広範囲の新しい技が可能となり、このスポーツへの新たな道を開くことができる。足全体の周囲の途切れのない３６０°ボール制御ゾーンを提供することにより、スポーツのレベルを高めることのできる新しい競技技術をもたらすことができる。特に、アーバンサッカーという新たなスポーツに適したソールを提供することができる。このタイプのサッカーは、小さい人工芝のピッチにおいて、速いスピードで行われる。本発明のソールは、高レベルのボール制御およびそれに必要なトラクションを満たすのに適している。
【００１２】
複数の外形要素を、地面に貫入するように構成することができる。したがって、これらの外形要素を、地面でソールが滑らないように特に適応させることができる。例えば、外形要素は、スタッドおよび／もしくはナップおよび／もしくはリッジなどを含むことができ、または単にスタッドとして実施することができる。
【００１３】
複数の外形要素を、ソールのヒール部および／またはフォアフット部に設けてもよい。素早いターンや動きをするときに、これらの部分で特に大きな力が生じ得る。したがって、これらの部分に外形要素があると、地面でのソールの安定性を特に高めることができる。
【００１４】
外形要素を摩擦要素の周りに配置してもよい。これにより、外形要素が確実に摩擦要素に干渉しなくなると同時に、それにもかかわらず、ソールは摩擦要素を含むソールの部分に安定性をもたらす。例えば、摩擦要素をフォアフット部に配置してもよく、複数の外形要素の少なくとも一部を、摩擦要素の周りでフォアフット部に配置してもよい。したがって、ソールは、地面での良好なトラクションと、シューズのフォアフット部での良好なボール制御とをもたらすことができる。このフォアフット部では良好な安定性が特に重要であり、サッカーをするときには、ボールに接触するためにフォアフット部が最もよく使用される。
【００１５】
摩擦要素を、ソールのフォアフット部および／または中足部の内側および／またはヒール部に配置してもよい。摩擦要素は、シューズのフォアフット部に少なくとも部分的に巻き付いていてもよい。
【００１６】
摩擦要素を、ソールに恒久的に取り付けてもよい。これにより、ユーザによる煩雑な摩擦要素の取付けおよび取外しが不要となり得る。同時に、例えばランニングまたはキック中に、滑ったり、摩擦要素が偶発的に外れたりすることが避けられる。例えば、起伏の多い野外条件下においても耐久性のある連結をもたらすことのできる接着によって、摩擦要素を恒久的に取り付けることができる。
【００１７】
摩擦要素は、外形要素の材料と比べて、スポーツボールとの摩擦がより大きい材料、例えばゴムを含んでよい。言い換えると、摩擦要素自体の材料が、摩擦要素の特定の表面構造を必ずしも必要とすることなく、より大きい摩擦をもたらすものであってよい。摩擦要素を、形状の制限なく設計することができる。特に、摩擦要素は、その外面が基本的に平坦であってよく、これにより、製造が簡単になり、必要な材料が少なくなる。
【００１８】
摩擦要素は、ゴムの外層を含んでよい。外層を、基層、特に布地層の上に設けることができる。ゴムの代わりに、例えば、ＴＰＵまたはシリコーンを使用することも可能であり、これを基層の上に圧延、噴霧、射出、またはスクリーン印刷することができる。また、基層なしで、１枚のゴムを摩擦要素として使用してもよい。
【００１９】
ゴム層を含む布地層を、例えば、ソールに接着することができる。ソールへの接着前に、ゴム層を布地層に塗布してもよい。布地層を、ソールとの良好な恒久連結をもたらすように最適化してもよい。ゴム層は基本的に平坦であってよい。あるいは、ゴム層は表面構造を含んでもよい。
【００２０】
摩擦要素は、フォアフット部の外側からフォアフット部の内側へ延びることができる。したがって、フォアフット部でスポーツボールに接触したときに、ソール全体にわたって、高レベルのボール制御をもたらすことができる。そのようなソールは、フォアフット部がボール制御の重要な役割を果たすサッカーシューズに特に適応し得る。
【００２１】
ソールは、摩擦要素を受けるための凹部を含んでもよい。凹部により、例えば、摩擦要素とソールの下側とを基本的に同一平面上に配置することができる。これにより、摩擦要素の縁部でボールに接触したときに、ボール制御をさらに向上させることができ、ソール上での摩擦要素のより耐久性のある連結が可能になり得る。
【００２２】
複数の外形要素は、少なくとも１つの第１の外形要素と、複数の細長の第２の外形要素とを含むことができる。細長の第２の外形要素は、第１の外形要素の周りに分散され、第１の外形要素から半径方向に延びることができる。この配置により、スポーツボールがソールの下面で摩擦要素に接触できるように、外形要素の配置にもかかわらず、地面でのソールの安定性を特に向上させることができる。第２の外形要素を第１の外形要素の周りに配置することにより、第１の外形要素によってもたらされる安定性が高めることができる。したがって、第１の外形要素をより短くなるように構成して、スポーツボールが摩擦要素に接触できるようにするための第１の外形要素間の距離に対する要件を軽減することができる。
【００２３】
少なくとも１つの第１の外形要素は、基本的に半径方向に対称であってよい。これにより、ターンをするときに地面で第１の外形要素を容易に回転させることが可能になり得る。同時に、これによってすべての方向に同程度の安定性をもたらすことができる。この第１の外形要素によりもたらされる基本的な安定性を、必要に応じて第２の外形要素により、場合によっては非対称に精密化してもよい。
【００２４】
少なくとも１つの第１の外形要素を、ソールのフォアフット部またはヒール部に配置することができる。一部の例では、いくつかの第１の外形要素をソールのフォアフット部および／またはヒール部に設けることができる。これらの部分に配置された第１の外形要素は、地面での特に高い安定性をシューズにもたらすことができる。
【００２５】
細長の第２の外形要素は、少なくとも１つの第１の外形要素よりも高さが低くてよい。したがって、第１の外形要素は、ソールの基本的な固定をもたらすことができる。より短い第２の外形要素を、ソールによってもたらされるトラクションをより精密に微調整するように配置してもよい。第２の外形要素の高さを人工芝に適応させてもよい。
【００２６】
ソールは、少なくとも１つの第１の外形要素と複数の第２の外形要素とを含むことができ、複数の第２の外形要素は、例えば、少なくとも１つの第１の外形要素の周りに格子状に配置される。第２の外形要素は細長であってよい。第２の外形要素は、交差点および／または連結点を含むように配置されてもよく、少なくとも２つの第２の外形要素は互いに交差および／または互いに連結する。例えば、少なくとも１つの交差点で、６個の第２の外形要素が合うことができる。
【００２７】
細長の第２の外形要素は、少なくとも１つの第１の外形要素の直径よりも大きい長手方向伸長部を有することができる。したがって、第１の外形要素を「局所的に」配置することができ、細長の第２の外形要素はソールのより大きい部分にわたって延びることができる。第２の外形要素が細長であるため、第２の外形要素は、その幅よりも大きい長手方向伸長部を含む。細長の第２の外形要素の１つまたは複数またはすべての長手方向伸長部は、第１の外形要素の直径の少なくとも２倍であってよい。同時に、細長の第２の外形要素の１つまたは複数またはすべての幅は、第１の外形要素の直径より小さいか、または少なくとも２分の１であってよい。このように細長の第２の外形要素により、ソールのねじれおよび滑りに対する特定の安定性をもたらすことができる。
【００２８】
本発明の別の態様では、前述したソールを含むシューズ、特にスポーツシューズが提供される。
【００２９】
そのようなシューズでは、摩擦要素がシューズのアッパーに少なくとも部分的にわたって延びることができる。したがって、ソールの下側からシューズのアッパーへ延びる領域で途切れのないボール制御を行うことができる。さらに、ソールからアッパーに部分的にわたって延びる摩擦要素は、ソールとアッパーとの密な連結を助けることができる。摩擦要素は、アッパーの様々な領域、例えばアッパーのフォアフット部の甲領域にわたって延びるように設計されてもよい。摩擦要素は、アッパーの材料と比べて、スポーツボールとの摩擦がより大きい材料を含むことができる。
【００３０】
摩擦要素は、アッパーのフォアフット部とソールのフォアフット部とを少なくとも部分的に囲むことができる。そのような摩擦要素は、ボール制御性を向上させ得る、シューズのフォアフット部周囲の途切れのない３６０°領域を提供することができる。摩擦要素をソールおよびアッパーに接着して、耐久性のある連結をもたらすことができる。摩擦要素の内面とアッパーおよびソールの外面とを、接着時に安定した連結をもたらすように構成することができる。
【００３１】
また、例えば、面ファスナシステムによって、適切な接着剤によって、ねじなどによって、摩擦要素をソールおよび／またはアッパーに取外し可能に連結することも可能である。したがって、例えば摩擦要素が摩耗したときや、異なるグレードの摩擦を持つ摩擦要素が必要なときに、使用済みの摩擦要素を新しい摩擦要素と交換することができる。また、取外し可能な摩擦要素を使用して、フォアフット部でシューズを締め付けたり緩めたりすることも可能である。これにより、シューズのフィット性を向上させることができる。摩擦要素が異なる色を有して、取外し可能に連結された摩擦要素を異なる色の別の摩擦要素と交換できるようにしてもよい。さらに、取外し可能な摩擦要素が異なる材料または異なる設計を有することができる。例えば、取外し可能な摩擦要素は、異なる材料または異なる設計を有することができる。例えば、第１の摩擦要素を湿潤状態に使用することができ、第２の摩擦要素を乾燥状態に使用することができる。このために、取外し可能な摩擦要素は、異なる材料、例えばゴム、シリコーン、ＴＰＵ、布材料、またはボールとの適切な摩擦をもたらす他の材料、またはこれらの組合せを含むことができる。例えば、摩擦要素が、ゴムなどの層を取り付ける基層を含む場合、ゴム材料を異なる方法で基層に付着させて、基層上にゴム材料の異なる形状またはパターンを作製することができる。異なる形状またはパターンにより、異なる摩擦特性が生じ得る。したがって、異なる摩擦係数を有する摩擦要素を作製することも可能である。
【００３２】
取外し可能に連結された摩擦要素のビジネスモデルは、本発明によるソールを有するシューズと摩擦要素とを別々に販売することであり得る。ソールを有するシューズを、摩擦要素なしで販売してもよい。基本装備としての１つもしくは２つの摩擦要素、または１組の摩擦要素を有するシューズを販売してもよい。シューズを競技者に直接合わせて調節して販売することができる。さらに、摩擦要素または複数組の摩擦要素を別々に販売してもよい。前述したように、摩擦要素は、例えば、大きさ、材料、色、設計などが異なっていてもよい。本発明によるソールを有するシューズを既に入手した顧客は、希望に応じて様々な摩擦要素をさらに入手することができる。さらに、顧客は、ある摩擦要素を有するシューズを注文することができる。その場合、モジュール構想に従って、摩擦要素の装着を工場で行ってもよい。
【００３３】
シューズは、アッパーおよび／またはソールの様々な部分に配置される、１つまたは複数のさらなる摩擦要素を含んでもよい。例えば、１つまたは複数のさらなる摩擦要素を、アッパーおよび／またはソールのフォアフット部および／またはヒール部に配置してもよい。
【００３４】
本発明の別の態様は、少なくとも１つの第１の外形要素と、複数の細長の第２の外形要素とを含む、スポーツシューズ、特にサッカーシューズ用ソール、例えばアウトソールである。細長の第２の外形要素は、少なくとも１つの第１の外形要素の周りに分散され、少なくとも１つの第１の外形要素から半径方向に延びる。そのようなソールは、前述した摩擦要素を備えていても備えていなくてもよい。特に、そのようなソールは、前述した様々な特徴、および、より詳細な例に関して、特に、存在する可能性のある摩擦要素とは関係なく、第１の外形要素および第２の外形要素に関してさらに後述する様々な特徴を含むことができる。本発明のさらなる態様は、そのようなソールを有するシューズ、特にスポーツシューズである。
【００３５】
以下の図面を参照しながら、本発明の可能な実施形態について、これに続く詳細な説明でさらに詳細に説明する。
【図面の簡単な説明】
【００３６】
【図１】外形要素と摩擦要素のための凹部とを有するソールの例を示す図である。
【図２】摩擦要素と、第１の外形要素および第２の外形要素とを有するソールの例を示す図である。
【図３】ソールと摩擦要素とを有するシューズの例を示す図である。
【図４Ａ】摩擦要素と、第１の外形要素および第２の外形要素とを有するソールのさらなる例を示す図である。
【図４Ｂ】摩擦要素と、第１の外形要素および第２の外形要素とを有するソールのさらなる例を示す図である。
【図５Ａ】第２の外形要素の例の横断面図である。
【図５Ｂ】第２の外形要素の例の横断面図である。
【発明を実施するための形態】
【００３７】
本発明の可能な実施形態について、簡単にするために主にサッカーシューズに関連して以下で説明する。しかしながら、本発明の概念を、他のタイプのスポーツシューズ、例えば、ラグビーシューズ、マウンテンバイクシューズ、またはスノーボードシューズに同様に当てはめることができる。
【００３８】
さらに、簡潔にするために、少数の実施形態のみについて以下で説明する。当業者は、これらの実施形態に関して説明される特定の特徴を修正し、異なって組み合わせることができ、かつ個々の特徴が本質的でない場合にはこれらを省略できることを理解するだろう。上記段落の一般的な説明は、以下のより詳細な説明についても有効である。
【００３９】
図１は、シューズ、特にサッカーシューズまたはアーバンサッカーシューズ用のソール１００、例えばアウトソールの一例を示す。ソール１００は、ソール１００のフォアフット部１１０およびソール１００のヒール部１２０に配置された複数の第１の外形要素１５１〜１５３を含む。さらに、ソール１００は、フォアフット部１１０、ヒール部１２０、および中足部にも配置された複数の第２の外形要素１５５を含む。第１の外形要素１５１〜１５３および第２の外形要素１５５は、地面での安定性をソール１００に与えるように構成される。加えて、ソール１００は、フォアフット部１１０に凹部１３１を含み、この凹部１３１は、スポーツボール１０に接触するための摩擦要素を受けて、ソール１１０の下側とスポーツボール１０との間の摩擦を大きくするように構成される。第１の外形要素１５１〜１５３および第２の外形要素１５５は、凹部１３１に配置された摩擦要素がソール１００の下側とボール１０との間に接触部位をもたらすことができるようにソール上に分散される。すなわち、外形要素の寸法および外形要素の互いに対する距離は、スポーツボール１０、例えばサッカーボールとソールの下側の摩擦要素との接触部位が有効になるように設計される。例えば、周囲６８〜７０ｃｍの一般的なサッカーボール（５号サイズ）のための接触部位を設けることができる。しかしながら、より小さいサイズのスポーツボールに適応させた接触部位を設けてもよい。ソール１００は一体構造であり、すなわち、例えば、射出成形または他の方法、例えば３Ｄ印刷により、第１の外形要素および第２の外形要素を、ワンステップ手順でソールと共に作製することができる。他の例では、第１の外形要素および／または第２の外形要素を別個に作製することができる。第１の外形要素および第２の外形要素の材料が異なっていてもよい。場合により、第２の外形要素と第１の外形要素の基部とを、ワンステップ手順でソールと共に作製することができ、追加の作製ステップを用いて、第１の外形要素の上部を設けることができる。最初に第１の外形要素の上部を設け、その後、追加の作製ステップにおいて、第２の外形要素と第１の外形要素の基部とを設けることも可能である。
【００４０】
凹部１３１は、フォアフット部１１０の外側から内側へ延びる。さらに、凹部１３１は、ソール１００を合わせるシューズのサイズに応じて、約２〜８ｃｍまたは３〜７ｃｍの平均幅を有する。第１の外形要素１５１、１５２は、互いに対して、その高さに応じて、凹部１３１の幅、例えば５〜１０ｃｍよりもわずかに大きい距離をおいて配置される。凹部１３１に挿入される摩擦要素の厚さに応じて、凹部の深さを、例えば０．２５〜５ｍｍ、０．５〜４ｍｍ、または１〜３ｍｍの範囲で変化させることができる。一部の例では、凹部１３１は、摩擦要素がソール１００の下側と同一平面上にあるように設計される。したがって、凹部に１３１に関して示した前記寸法を、凹部１３１に挿入する摩擦要素にも当てはめることができる。摩擦要素のための凹部１３１を設けることにより、摩擦要素とソール１００との連結の耐久性を高めることができる。しかしながら、凹部１３１は、耐久性のある連結をもたらすために必要ではなく、したがって他の例では省略してもよい。第１の外形要素１５１、１５２は、摩擦要素のために設けられた凹部１３１の周りに配置される。
【００４１】
第１の外形要素１５１〜１５３は、地面に向かってテーパ状であり得る全体として円筒形の形状を有する。第１の外形要素１５１〜１５３の上部の直径は、４〜１５ｍｍの範囲または６〜１２ｍｍの範囲であってよい。第１の外形要素１５１〜１５３の下部の直径は、上部の直径の５０〜８０％の範囲または６０〜７０％の範囲であってよい。フォアフット部１１０の第１の外形要素１５１、１５２の直径は、ヒール部１２０の第１の外形要素１５３の直径より小さくてよい。これらの直径を０〜４０％または１０〜３０％小さくすることができる。第１の外形要素１５１〜１５３の高さは、３〜１５ｍｍの範囲または４〜１０ｍｍの範囲であってよい。フォアフット部１１０の第１の外形要素１５１、１５２の高さは、ヒール部１２０の第１の外形要素１５３の高さより低くてよい。例えば、フォアフット部１１０の第１の外形要素１５１、１５２は６〜８ｍｍの高さを有することができ、ヒール部１２０の第１の外形要素１５３は９〜１２ｍｍの高さを有することができる。フォアフット部１１０および／またはヒール部１２０のそれぞれにおいても、第１の外形要素１５１〜１５３の寸法を変化させることができる。例えば、フォアフット部１１０の前部、例えばトウ部の１つまたは複数の第１の外形要素が約５ｍｍの高さを有することができ、フォアフット部１１０の後部の１つまたは複数の第１の外形要素が約６ｍｍの高さを有することができる。さらなる例として、ヒール部１２０の前部、すなわち、フォアフット部１１０に近い部分の１つまたは複数の外形要素が約９ｍｍの高さを有することができ、ヒール部１２０の後部の１つまたは複数の第１の外形要素が約１０ｍｍの高さを有することができる。他の例では、非半径方向に対称の形状、例えば矩形、正方形、三角形などを有する第１の外形要素を設けてもよい。円筒形の第１の外形要素について前述した高さおよび直径を、これらの非半径方向に対称の形状について用いることもできる。
【００４２】
例１００では、第２の外形要素１５５が、第１の外形要素１５１〜１５３、１５５よりも低い高さを有する。第２の外形要素は、０．５〜１０ｍｍ、または１〜８ｍｍ、または２〜６ｍｍの範囲の平均高さを有することができる。第２の外形要素１５５は細長で、第１の外形要素１５２の周りに分散され、第１の外形要素１５２から半径方向に延びる。例１００では、細長の第２の外形要素１５５が各々、第１の外形要素１５２の直径よりも大きい長手方向伸長部を有する。第２の外形要素は、フォアフット部１１０の第１の外形要素からヒール部１２０の第１の外形要素へ延びることができる。
【００４３】
図２は、ソール２００の実施形態を示す。ソール２００は、ソールのフォアフット部２１０およびヒール部２２０に配置された複数の第１の外形要素２５０を含む。さらに、ソールは複数の第２の外形要素２５５を含む。第１の外形要素２５０および第２の外形要素２５５は、領域２６０に配置される。領域２６０は、ソールのフォアフット部の前部（例えばトウ部）および後部、ヒール部１２０、ならびに中足部の外側に設けられる。ソールは、フォアフット部２１０に配置された摩擦要素２３０をさらに含む。摩擦要素２３０は、フォアフット部の内側から外側へ延び、その幅は、概ねソールの外側から内側へ小さくなる。摩擦要素２３０の幅が、シューズの内側から外側へ小さくなってもよい。さらに、摩擦要素２３０の幅を、シューズの内側から外側まで一定に維持しても、Ｓ字湾曲のように変化させてもよい。例えば、摩擦要素２３０は、２ｃｍ超または４ｃｍ超の幅を有することができる。他の例では、摩擦要素２３０は外側から内側へ延びなくてもよい。代わりに、摩擦要素２３０を、フォアフット部２１０の外側、内側、またはある領域、例えば中心に配置してもよい。そのような摩擦要素は、２〜１０ｍｍ、３〜８ｍｍ、または３〜６ｍｍの横方向伸長部を有することができる。摩擦要素は、ソール２００のフォアフット部２１０の横方向伸長部の１／４、１／３、１／２、または２／３超を覆う横方向伸長部を含むことができる。摩擦要素２３０を、ソール２００の凹部に配置してもよい。摩擦要素２３０が外側から内側へ向かう方向に延びるが、完全に内側まで延びなくてもよい。これにより、内側から摩擦要素をなくすことができる。内側は、ボールをキックするために使用されることが多い。そのため、内側に摩擦要素がなければ、摩擦要素の摩耗を減らすことができる。
【００４４】
摩擦要素２３０は基層を含むことができ、基層の上にゴムの層を圧延、噴霧、射出、またはスクリーン印刷などすることができる。例えば、ゴム材料を基層上に付着させて、基層上にゴム材料の所望の形状またはパターンを得ることができる。一例では、ゴム材料を液体または他の柔軟な形で塗布することができ、続いて、型押しなどによりゴム層内に表面構造を作製することができ、または基本的に平坦なゴム層を作製することができる。その後、ゴム材料を、例えば熱により乾燥させることができる。一部の例では、ゴムの連続層を基層上に塗布し、かつ／または規則的な表面構造パターンを基層上に作製して、摩擦要素の外面に均一な度合いの摩擦をもたらすことができる。他の例では、摩擦要素の特定の部位が、異なる特性を備えていてもよい。これは、図３に関して説明するように、摩擦要素が、シューズのアッパーの一部を含む可能性のある大きい部位にわたって延びる場合に、特にそうであってよい。基層は、例えば、布地層、例えば、編布、不織布、または織布材料を含むことができる。しかしながら、例えばゴムを含む摩擦要素を、基層なしでソールに塗布してもよい。ゴムの代わりに、例えばＴＰＵまたはシリコーンを使用することも可能であり、これを基層の上に圧延、噴霧、射出、またはスクリーン印刷することができる
【００４５】
例２００では、追加の摩擦要素２３２が、中足部の内側でソール２００に取り付けられて、同様に優れたボール制御を達成できるようにしている。他の例では、異なる、および／またはさらなる摩擦要素を、例えばヒール部に加えてもよい。
【００４６】
図１を参照して説明したように、ソール２００の外形要素２５０、２５５を設計することができる。４個の第１の外形要素２５０をフォアフット部２１０に設けることができ、フォアフット部２１０の前部および後部の各々が、一対の第１の外形要素２５０を含む。各対の一方の第１の外形要素が外側に配置され、他方がソール２００の内側に配置される。ソール２００の外側の２つの第１の外形要素は、内側の２つの第１の外形要素よりも互いに大きく離間していてよい。加えて、３つの第１の外形要素２５０をソール２００のヒール部２２０に設けることができる。これらの第１の外形要素２５０のうちの２つをソール２００の外側に配置することができ、３つ目を、ソール２００の内側で、外側の２つの間に略等間隔に配置することができる。第２の外形要素２５５は、中足部全体にわたって延びることができ、かつ／またはソール２００のフォアフット部２１０およびヒール部２２０の第１の外形要素２５０を連結することができる。第２の外形要素２５５は、フォアフット部２１０の外側の第１の外形要素２５０からヒール部２２０の内側の第１の外形要素２５０へ延びることができる。これにより、中足部のソールを補強することができる。中足部全体にわたって延びる第２の外形要素２５５は、横への動きを支えるように設計される。第２の外形要素２５５の１つまたは複数は、３ｃｍ超、または６ｃｍ超、または９ｃｍ超の長手方向伸長部を有することができる。隣接する第２の外形要素２５５は、約１〜１５ｍｍ、３〜１２ｍｍ、または４〜１０ｍｍだけ離間していてよい。第１の外形要素２５０の周りで、第２の外形要素２５５は略等間隔であってよい。第１の外形要素２５０の周りの１つの象限に、例えば２〜１２個、３〜９個、または例えば４〜５個の第２の外形要素２５５を配置することができる。
【００４７】
さらなる第２の外形要素２５５が、フォアフット部またはその前部（例えばトウ部）に延びていてもよい。前部の第２の外形要素２５５は、高速なスプリント運動を支えるように設計される。
【００４８】
さらなる第２の外形要素２５５が、ソールの後部（例えばヒール部）に延びていてもよい。ヒール部の第２の外形要素２５５は、地面でのグリップを支えるように設計される
【００４９】
図３は、シューズ３００、特にサッカーシューズまたはアーバンサッカーシューズの実施形態の上面図および側面図である。シューズ３００はソール３０１を含み、ソール３０１は、図１および／または図２に関して説明したように設計可能な複数の第１の外形要素３５０および第２の外形要素３５５を有する。ソール３０１の例では、第１の外形要素３５０とソール３０１の下面との移行が、図１および図２のソール１００、２００のそれぞれにおける移行よりも滑らかであるように設計され得る。また、第１の外形要素はテーパ状であり、その細端部に、４〜１２ｍｍ、または６〜１０ｍｍの直径を有することができる。ソール３０１の第２の外形要素３５５は、図１および図２を参照して説明したものと略同様であってよい。また、ソール３０１は、オプションのヒール補強部３９０を含む。
【００５０】
図３からわかるように、ソールの外形要素３５０、３５５は、ソール３０１の下面とスポーツボール、例えばサッカーボールとの間に接触部位３７０を設けることができるように配置される。摩擦要素３３０は、ボールがソール３０１の下側の摩擦要素３３０に接触して、ソール３０１の下側とスポーツボールとの間の摩擦を大きくすることができるように、ソール３０１上に配置される。また、摩擦要素３３０は、シューズ３００のアッパーに部分的にわたって延びる。特に、摩擦要素３３０は、ソール３０１の部位３７０周りのアッパーのフォアフット部の内側からアッパーのフォアフット部の外側へ延びる。摩擦要素３３０を、シューズ３００のフォアフット部に部分的に巻き付けることができる。摩擦要素３３０の両端部は、シューズ３００のアッパーに小さい間隙３５５を有して互いに隣接して配置されるように、互いに適応される。
【００５１】
結果として、優れたボール制御を有する略３６０°の接触部位が、摩擦要素３３０によりシューズ３００のフォアフット部に設けられる。他の例では、間隙３３５を異なって形成してもよく、またはそのような間隙を設けなくてもよい。間隙を設けないか、または少なくとも連続した間隙を設けない場合には、摩擦要素３３０がフォアフット部を囲む。一部の例では、摩擦要素３３０がシューズ３００のフォアフット部および／または他の部分を完全に囲むことができる。あるいは、摩擦要素３３０は、シューズのフォアフット部を部分的に囲んで、例えばシューズ３００のトウ部を開いたままにしてもよい。場合により、摩擦要素３３０は１つまたは複数のスロット３３６を含んでもよい。
【００５２】
摩擦要素３３０を、アッパーおよびソール３０１のそれぞれの表面に接着することができ、摩擦要素の下側を、アッパーおよびソール３０１のそれぞれに耐久的に連結するように構成することができる。摩擦要素３３０を用いてシューズ３００を締め付けることもできる。例えば、摩擦要素を張力によりフォアフット部の周りに当て、例えば巻き付けて、フォアフット部がピンと張るようにすることができる。オプションとして、摩擦要素３３０をアッパーおよび／またはソール３０１に接着しなくてもよい。例えば、アッパーおよび／または摩擦要素３３０のソール側にある、摩擦要素３３０を締め付けるための面ファスナにより、摩擦要素３３０をソールおよび／またはアッパーに取外し可能に連結されるように設けて、摩擦要素３３０を用いてシューズ３００のフォアフット部を締め付けることができるようにする。面ファスナの代わりに、適切な接着剤、ねじなどを使用してもよい。したがって、例えば摩擦要素が摩耗したときや、異なるグレードの摩擦を持つ摩擦要素が必要なときに、使用済みの摩擦要素を新しい摩擦要素と交換することが可能である。また、取外し可能な摩擦要素が異なる色を有して、取外し可能に連結された摩擦要素を異なる色の別の摩擦要素と交換できるようにしてもよい。さらに、取外し可能な摩擦要素は、異なる材料または異なる設計を有することができる。例えば、第１の摩擦要素を湿潤状態に使用することができ、第２の摩擦要素を乾燥状態に使用することができる。このために、取外し可能な摩擦要素は、異なる材料、例えばゴム、シリコーン、ＴＰＵ、布材料、またはボールとの適切な摩擦をもたらす他の材料、またはこれらの組合せを含むことができる。例えば、摩擦要素が、ゴムなどの層を取り付ける基層を含む場合、ゴム材料を異なる方法で基層に付着させて、基層上にゴム材料の異なる形状またはパターンを作製することができる。異なる形状またはパターンにより、異なる摩擦特性が生じ得る。したがって、異なる摩擦係数を有する摩擦要素を作製することが可能である。
摩擦要素３３０をシューズ３００のフォアフット部に巻き付けて、例えば、アッパーおよび／またはソール３０１のフォアフット部の中央領域で、摩擦要素３３０の遠位端部が互いに重なるようにしてもよい。この場合、第１の遠位端部を第２の遠位端部に取り付けることにより、第２の遠位端部がアッパーおよび／またはソール３０１に取り付けられる。
【００５３】
摩擦要素３３０に加えて、１つまたは複数のさらなる摩擦要素３８０をシューズ３００に設けてもよい。これらを、摩擦を大きくすることが望ましい、アッパーおよび／またはソール３０１の様々な部分に配置することができる。摩擦要素３３０に関して説明したのと同様に、摩擦要素３８０をアッパーに取り付けることができる。加えて、またはあるいは、１つまたは複数の摩擦要素３８０は、ソール３０１の一部を覆っていなくてもよく、かつ／または、ソール３０１をシューズ３００のアッパーに取り付ける前にアッパーの下側の周りでアッパーに取り付けられてもよい。１つまたは複数のさらなる摩擦要素３８０を、アッパーおよび／またはソール３０１上で摩擦要素３３０と基本的に同一平面上に配置してもよい。１つまたは複数のさらなる摩擦要素３８０と摩擦要素３３０とは重なっていなくてもよく、摩擦要素間に間隙を設けてもよい。摩擦要素３３０、３８０が少なくとも部分的に互いに重なることにより、摩擦要素３３０、３８０を互いに対して取り付けることも可能である。さらに、巻き付けた摩擦要素３３０を、さらなる摩擦要素３８０の１つに取り付け、アッパーには取り付けなくてもよい。
【００５４】
図４Ａおよび図４Ｂは、ソール４００の実施形態を示す。ソール４００は、ソールのフォアフット部４１０およびヒール部４２０に配置された複数の第１の外形要素４５０を含む。さらに、ソールは、複数の第２の外形要素４５５を含む。第１の外形要素４５０および第２の外形要素４５５は、領域４６０に配置される。領域４６０は、フォアフット部４１０の前部（例えばトウ部）および後部、中足部、ならびにヒール部４２０に設けられる。ソール４００は、フォアフット部４１０に配置された摩擦要素４３０をさらに含む。摩擦要素４３０を、フォアフット部４１０の前部と後部との間に配置することができる。摩擦要素４３０は、フォアフット部の内側から外側へ延び、その幅は、概ねソールの外側から内側へ小さくなる。摩擦要素４３０を、図１〜図３に関連して説明したように設計および／または配置することができる。
【００５５】
ソール４００の第１の外形要素４５０を、図１〜図３を参照して説明したように設計することができる。例えば、４個の第１の外形要素４５０をフォアフット部４１０に設けることができ、フォアフット部４１０の前部および後部の各々が、一対の第１の外形要素４５０を含む。各対の一方の第１の外形要素が外側に配置され、他方がソール４００の内側に配置される。ソール４００の外側の２つの第１の外形要素は、内側の２つの第１の外形要素よりも互いに大きく離間していてよい。加えて、３つの第１の外形要素４５０をソール４００のヒール部４２０に設けることができる。これらの第１の外形要素４５０のうちの２つをソール４００の外側に配置することができ、３つ目を、ソール４００の内側で、外側の２つの間に略等間隔に配置することができる。
【００５６】
例４００では、第２の外形要素４５５が、第１の外形要素４５０よりも低い高さを有する。図４Ａの例では、第２の外形要素４５５は格子状に配置される。第２の外形要素４５５は、フォアフット部４１０の第１の外形要素４５０からヒール部４２０の第１の外形要素４５０へ延びることができる。
【００５７】
第２の外形要素４５５は細長で、第１の外形要素４５０の周りに分散される。第２の外形要素４５５の一部は互いに交差する。図４Ａに示すように、第２の外形要素４５５の交差点および／または連結点４７０がある。交差点および／または連結点４７０に、図４Ｂに示すように空洞４８０があってもよい。また、図４Ｂに示すように、第１の外形要素４５０と第２の外形要素４５５との間に空洞があってもよい。図４Ｂに例示的に示すように、空洞は、ヒール部側を向いた鋭い角部および／またはソールのトウ部側を向いた滑らかな角部を含むことができる。そのような空洞が全くなくてもよい。
【００５８】
第２の外形要素４５５は、ソール４００の中足部全体、ヒール部４２０全体、および／またはフォアフット部４１０全体にわたって延びることができる。第２の外形要素４５５は、フォアフット部４１０の第１の外形要素４５０、例えば、ソール２００のフォアフット部の後部およびヒール部４２０の第１の外形要素４５０を連結する。フォアフット部４１０の第１の外形要素４５０からヒール部４２０の第１の外形要素４５０へ延びる第２の外形要素４５５も、中足部のソールを補強する。
【００５９】
図４Ａに見られるように、第２の外形要素４５５は、特に中足部、フォアフット部４１０の後部、および／またはヒール部４２０で、ソール４００の縁部上に巻付構造を含むことができ、例えば、第２の外形要素４５５は、ソール４００の縁部上に少なくとも部分的に延びることができる。巻付構造は、フォアフット部４１０の前部にはなくてよい。
【００６０】
図５Ａおよび５Ｂに見られるように、第２の外形要素４５５を、例えば三角形横断面および／または凹状三角形横断面を有する異なる横断面に設計してもよい。図４の例では、フォアフット部４１０のトウ部の第２の外形要素４５５が、図５Ａに示すように、三角形横断面を有して設計される。さらに、摩擦要素４３０と中足部、例えばフォアフット部の後部との間の部分の第２の外形要素４５５は、図５Ｂに示すように、凹状三角形断面を有して設計される。さらに、中足部および／またはヒール部４２０の前部の第２の外形要素４５５は、図５Ａに示すように、三角形横断面に設計され、これにより、ヒールカウンタの領域、例えばヒール部４２０の後部の第２の外形要素４５５を、図５Ｂに示すように、凹状三角形横断面を有して設計することができる。第２の外形要素４５５の凹状三角形横断面（図５Ｂ参照）を有する例示的な領域が、図４Ａに参照符号４９０で示される。第２の外形要素は、領域４９０の外側の領域に三角形横断面（図５Ａ参照）を有することができる。
【００６１】
シューズを製造する方法は、以下のステップを含むことができる。複数の外形要素を有するソールを設ける。アッパーを設ける。摩擦要素をソールおよびアッパーの周りに少なくとも部分的に取り付け、摩擦要素がスポーツボールに接触してソールの下側とスポーツボールとの間の摩擦を大きくすることができるようにする。図１〜４を参照して説明したシューズおよびソールを有するシューズを提供するように、方法を適応させてもよい。
【００６２】
以下で、本発明の理解を容易にするためにさらなる実施形態について説明する。
【００６３】
１．ａ．複数の外形要素（２５０、２５５；３５０、３５５；４５０、４５５）と、
ｂ．摩擦要素（２３０；３３０；４３０）とを含み、
ｃ．外形要素（２５０、２５５；３５０、３５５；４５０、４５５）が、摩擦要素（２３０；３３０；４３０）がスポーツボールに接触してソールの下側とスポーツボールとの間の摩擦を大きくするように分散される、スポーツシューズ、特にサッカーシューズ用ソール。
【００６４】
２．複数の外形要素（２５０、２５５；３５０、３５５；４５０、４５５）が地面に貫入するように構成される、実施形態１に記載のソール。
【００６５】
３．複数の外形要素（２５０、２５５；４５０、４５５）が、ソールのヒール部（２２０；４２０）および／またはフォアフット部（２１０；４１０）に設けられる、前記実施形態のいずれか１つに記載のソール。
【００６６】
４．外形要素（２５０、２５５；３５０、３５５；４５０、４５５）が摩擦要素（２３０；３３０；４３０）の周りに配置される、前記実施形態のいずれか１つに記載のソール。
【００６７】
５．摩擦要素（２３０；３３０；４３０）がソールに恒久的に取り付けられる、前記実施形態のいずれか１つに記載のソール。
【００６８】
６．摩擦要素（２３０；３３０；４３０）が、外形要素（２５０、２５５；３５０、３５５；４５０、４５５）の材料と比べて、スポーツボールとの摩擦がより大きい材料を含む、前記実施形態のいずれか１つに記載のソール。
【００６９】
７．摩擦要素（２３０；３３０；４３０）が、布地層の上に設けられたゴムの外層を含む、前記実施形態のいずれか１つに記載のソール。
【００７０】
８．摩擦要素（２３０；４３０）が、フォアフット部（２１０；４１０）の外側からフォアフット部（２１０；４１０）の内側へ延びる、前記実施形態のいずれか１つに記載のソール。
【００７１】
９．摩擦要素を受けるための凹部をさらに含む、前記実施形態のいずれか１つに記載のソール。
【００７２】
１０．複数の外形要素（２５０、２５５；４５０、４５５）が、少なくとも１つの第１の外形要素（２５０；４５０）と、複数の細長の第２の外形要素（２５５；４５５）とを含み、細長の第２の外形要素（２５５；４５５）が、第１の外形要素（２５０；４５０）の周りに分散され、第１の外形要素（２５０；４５０）から半径方向に伸びる、前記実施形態のいずれか１つに記載のソール。
【００７３】
１１．少なくとも１つの第１の外形要素（２５０；４５０）が、基本的に半径方向に対称である、実施形態１０に記載のソール。
【００７４】
１２．少なくとも１つの第１の外形要素（２５０；４５０）が、ソールのフォアフット部（２１０；４１０）および／またはヒール部（２２０；４２０）に配置される、実施形態１０または１１に記載のソール。
【００７５】
１３．細長の第２の外形要素（２５５；３５５；４５５）が、少なくとも１つの第１の外形要素（２５０；３５０；４５０）よりも高さが低い、実施形態１０〜１２のいずれか１つに記載のソール。
【００７６】
１４．細長の第２の外形要素（２５５；３５５；４５５）が、少なくとも１つの第１の外形要素（２５０；３５０；４５０）の直径よりも大きい長手方向伸長部を有する、実施形態１０〜１３のいずれか１つに記載のソール。
【００７７】
１５．複数の外形要素（２５０、２５５；４５０、４５５）が、少なくとも１つの第１の外形要素（２５０；４５０）と、複数の第２の外形要素（２５５；４５５）とを含み、複数の第２の外形要素（２５５；４５５）が格子状に配置される、前記実施形態のいずれか１つに記載のソール。
【００７８】
１６．実施形態１〜１５のいずれか１つに記載のソールを含むシューズ、特にスポーツシューズ。
【００７９】
１７．摩擦要素（３３０）がシューズのアッパーに少なくとも部分的にわたって延びる、実施形態１６に記載のシューズ。
【００８０】
１８．摩擦要素（３３０）が、アッパーのフォアフット部とソールのフォアフット部とを少なくとも部分的に囲む、実施形態１６または１７に記載のシューズ。
【００８１】
１９．シューズが、アッパーならびに／またはソールのフォアフット部および／もしくはヒール部に配置される、１つまたは複数のさらなる摩擦要素（３８０）を含む、実施形態１６〜１８のいずれか１つに記載のシューズ。
【符号の説明】
【００８２】
１０  スポーツボール
１００、２００、３０１、４００  ソール
１１０、２１０、４１０  フォアフット部
１２０、２２０、４２０  ヒール部
１５１〜１５３、２５０、３５０、４５０  第１の外形要素
１５５、２５５、３５５、４５５  第２の外形要素
１３１  凹部
２６０、４６０、４９０  領域
２３０、２３２、３３０、３８０、４３０  摩擦要素
３００  シューズ
３３６  スロット
３５５  間隙
３７０  接触部位
３９０  ヒール補強部
４７０  交差点および／または連結点
４８０  空洞
【図１】
0006695702.tif 000002
【図２】
0006695702.tif 000003
【図３】
0006695702.tif 000004
【図４Ａ】
0006695702.tif 000005
【図４Ｂ】
0006695702.tif 000006
【図５Ａ】
0006695702.tif 000007
【図５Ｂ】
0006695702.tif 000008